(57)【特許請求の範囲】
【請求項１】
液透過性の表面シート部と、
液不透過性の裏面シート部と、
前記表面シート部と前記裏面シート部との間に配置され、吸収体中央部と、前記吸収体中央部の長手方向における後方側に連続して形成される吸収体後方部とを有する吸収体部と、
前記表面シート部と前記吸収体部との間に配置され、
前記表面シート部と前記吸収体中央部との間に配置される第１の中間シートと、前記表面シート部と少なくとも前記吸収体後方部との間に配置され、前記第１の中間シートとは液移行特性が異なる第２の中間シートと、を有する中間シート部と、
前記長手方向に対して略垂直に折り曲げられる所定の折り曲げ部と、
前記長手方向において前記折り曲げ部の一方側にのみ配置される前記第１の中間シートと、
前記長手方向において前記折り曲げ部の他方側にのみ配置される前記第２の中間シートと、を備え、
前記第２の中間シートは、前記第１の中間シートに前記長手方向に連続して並列配置され、
前記第１の中間シートは、前記第２の中間シートよりも液透過性が高く、
前記第２の中間シートは、前記第１の中間シートよりも液引き込み性が高い吸収性物品。
【請求項２】
液透過性の表面シート部と、
液不透過性の裏面シート部と、
前記表面シート部と前記裏面シート部との間に配置され、吸収体中央部と、前記吸収体中央部の長手方向における後方側に連続して形成される吸収体後方部とを有する吸収体部と、
前記表面シート部と前記吸収体部との間に配置され、
前記表面シート部と前記吸収体中央部との間に配置される第１の中間シートと、前記表面シート部と少なくとも前記吸収体後方部との間に配置され、前記第１の中間シートとは液移行特性が異なる第２の中間シートと、を有する中間シート部と、
前記長手方向に対して略垂直に折り曲げられる所定の折り曲げ部と、
前記長手方向において前記折り曲げ部の一方側にのみ配置される前記第１の中間シートと、
前記長手方向において前記折り曲げ部の他方側に配置される前記第２の中間シートの一部と、を備え、
前記第２の中間シートの一部は、前記第１の中間シートの少なくともその一部に幅方向において重なるように積層配置され、
前記第１の中間シートは、前記第２の中間シートよりも液透過性が高く、
前記第２の中間シートは、前記第１の中間シートよりも液引き込み性が高い吸収性物品。
【請求項３】
前記第１の中間シートは、複数の液透過性開孔部を更に備える請求項１又は２に記載の吸収性物品。
【請求項４】
前記第２の中間シートは、前記第１の中間シートよりも毛管力が強い請求項１又は２に記載の吸収性物品。
【請求項５】
前記第２の中間シートは、前記第１の中間シートよりも親水性が高い請求項１又は２に記載の吸収性物品。
【請求項６】
前記第２の中間シートの厚さは、前記第１の中間シートの厚さよりも厚く、
前記第２の中間シートの長手方向における長さは、前記第１の中間シートの長手方向における長さよりも長い請求項１又は２に記載の吸収性物品。
【発明の詳細な説明】
【技術分野】
【０００１】
本発明は、吸収性物品に関する。
【背景技術】
【０００２】
従来、生理中の女性が就寝時等に着用するのに適した生理用ナプキンとして、例えば、尾てい骨まで覆うような後方側に長い生理用ナプキンが使用される。しかし、従来の生理用ナプキンが就寝時等における寝姿勢で長時間使用される場合には、装着感が悪化すると共に、排泄物の漏れが生じる場合がある。このような生理用ナプキンは、着用者の装着感の悪化や排泄物の漏れ等を抑制するために、身体に当接される表面シート部や、排泄物を吸収する吸収体だけでなく、この表面シート部と吸収体の間に配置されるセカンドシート部についても工夫がされてきた。【０００３】
例えば、特許文献１において開示されている生理用ナプキンの一つである図７に示すように、所定の吸収ストリップ９１０と流動体方向付けストリップ９２０とを組み合わせて、排泄物を吸収性物品における外縁部に移行させるよう方向付けすることで、排泄部における装着性の悪化を抑制する発明が提案されている。
【特許文献１】特表平８−５１１７０６号公報
【発明の開示】
【発明が解決しようとする課題】
【０００４】
特許文献１における生理用ナプキンでは、所定の吸収ストリップ９１０と流動体方向付けストリップ９２０とを組み合わせることによって、排泄物を吸収性物品における外縁部に移行させるよう方向付けすることができる。これにより、排泄部における装着性の悪化を抑制することができる。しかしながら、特許文献１のように、吸収性物品における排泄物を外縁部に移行させるような方向付けをすると、吸収性物品の後方側から排泄物が漏れ出すことを助長する。なぜなら、仰向けでの寝姿勢になると、膣口部は床面に対して垂直方向となるので、排泄物は生理用ナプキンの後方側、すなわち床面側に流れやすくなるからである。本発明の課題は、特許文献１では解決されていない排泄物の漏れを抑制し、装着感の悪化を抑制することである。【０００５】
本発明は、以上のような課題に鑑みてなされたものであり、その目的は排泄物の漏れを抑制すると共に、装着感の悪化を抑制する吸収性物品を提供することにある。
【課題を解決するための手段】
【０００６】
本発明は、上記目的を達成するために、使用する態様において身体に当接する位置のそれぞれについて液移行特性が異なる中間シート部を配置した。発明者は寝姿勢での長時間使用における排泄物の漏れと、装着感の悪化を抑制することができることを見出したからである。そして発明者は、以下のような吸収性物品を発明した。【０００７】
（１）  液透過性の表面シート部と、液不透過性の裏面シート部と、前記表面シート部と前記裏面シート部との間に配置され、吸収体中央部と、前記吸収体中央部の長手方向における後方側に連続して形成される吸収体後方部と、を有する吸収体部と、前記表面シート部と前記吸収体部との間に配置され、前記表面シート部と前記吸収体中央部との間に配置される第１の中間シートと、前記表面シート部と少なくとも前記吸収体後方部との間に配置され、前記第１の中間シートとは液移行特性が異なる第２の中間シートと、を有する中間シート部と、を備える吸収性物品。【０００８】
（１）の発明によれば、吸収性物品は、吸収体部が、吸収体中央部と、吸収体中央部の長手方向ＬＤにおける後方側に連続して形成される吸収体後方部と、を備える。そして、中間シート部は、表面シート部と吸収体中央部との間に配置される第１の中間シートと、表面シート部と少なくとも吸収体後方部との間に配置され、第１の中間シートとは液移行特性が異なる第２の中間シートと、を備える。【０００９】
吸収体中央部を含む中央吸収部は、排泄部からの排泄物を主に吸収する領域であって、例えば、中央吸収部における所定の領域で排泄部と当接して、吸収体中央部で排泄物を吸収する。この中央吸収部の表面シート側には、第１の中間シートが配置される。第１の中間シートは、後述する第２の中間シートとは液移行性が異なるシートである。例えば、液透過性や液引き込み性が異なる。【００１０】
吸収体後方部を含む後方吸収部は、例えば、中央吸収部で吸収しきれなかった排泄物や、排泄部から身体を伝って流れてきた排泄物を吸収する領域である。後方吸収部の表面シート部側には、第２の中間シートが配置される。この第２の中間シートは、第１の中間シートとは液移行特性が異なる。例えば、上記の通り、液透過性や液引き込み性が異なる。【００１１】
第１の中間シートは、表面シート部と吸収体中央部との間に配置される。例えば、吸収性物品が寝姿勢において使用される場合には、中央吸収部は床面と略垂直になり、床面側の後方吸収部に排泄物が流れやすい。このため、第１の中間シートは、排泄部からの排泄物を速やかに吸収体中央部に移行させることが求められ、例えば、液透過性が高いシート部が用いられる。【００１２】
第２の中間シートは、表面シート部と吸収体後方部との間に配置される。例えば、吸収性物品が寝姿勢において使用される場合には、中央吸収部で吸収しきれなかったり、排泄部から身体を伝ったりすることで、少量の排泄物が後方吸収部に流れてくる場合がある。このため、第１の中間シートは、流れてきた少量の排泄物を速やかに吸収することが求められ、例えば、液引き込み性の高いシート部が用いられる。【００１３】
ここで、第１の中間シートと第２の中間シートは、それぞれ異なる材料により構成することができる。また、第１の中間シート及び第２の中間シートは、同じ材料で構成することができる。そして、同じ材料で構成したシートに、それぞれ異なる処理を施して、液透過性を調整することにより、第１の中間シート及び第２の中間シートを構成することができる。【００１４】
（２）  前記液移行特性は、液透過性であり、前記第１の中間シートは、前記第２の中間シートよりも液透過性が高い（１）に記載の吸収性物品。【００１５】
（２）の発明によれば、吸収性物品は、第１の中間シートが、第２の中間シートよりも液透過性が高くなるよう構成されている。具体的には、ストライクスルー法における測定により、所定の液体の透過時間が短いシート部を用いることができる。例えば、第１のシートは、第２の中間シートにおける透過時間よりも、３％以上、好ましくは５％以上、透過時間が短いシート部を使用することができる。したがって、第１の中間シートが配置された中央吸収部は、例えば、排泄部からの排泄物を速やかに吸収体中央部に移行させることができる。よって、排泄物の漏れを抑制すると共に、装着性の悪化を抑制することができる。【００１６】
（３）  前記第１の中間シートは、複数の液透過性開孔部を更に備える（２）に記載の吸収性物品。【００１７】
（３）の発明によれば、吸収性物品は、第１の中間シートが、複数の液透過性開孔部を更に備えるように構成される。液透過性開孔は、所定の開孔処理により形成される。例えば、表面シート部と第１の中間シートとが積層的に配置された状態で、所定の開孔処理を行うことにより、表面シート部においても第１の中間シートと連通する開孔を形成することができる。複数の液透過性開口部を備えることにより、排泄部からの排泄物をより速やかに吸収体中央部に移行させることができ、液透過性が更に向上する。【００１８】
（４）  前記液移行特性は、液引き込み性であり、前記第２の中間シートは、前記第１の中間シートよりも液引き込み性が高い（１）に記載の吸収性物品。【００１９】
（４）の発明によれば、第２の中間シートは、第１の中間シートよりも液引き込み性が高くなるように構成されている。これにより、該吸収性物品は、中央吸収部で吸収しきれなかった少量の排泄物や、中央吸収部から流れ出た少量の排泄物を、例えば、表面シート部から吸収体後方部側に速やかに引き込むことができる。したがって、吸収性物品は、吸収性物品の後方側からの排泄物の漏れを抑制することができる。【００２０】
（５）  前記第２の中間シートは、前記第１の中間シートよりも毛管力が強い（４）に記載の吸収性物品。【００２１】
（５）の発明によれば、吸収性物品は、第２の中間シートが、第１の中間シートよりも毛管力が強くなるよう構成される。これにより、該吸収性物品は、中央吸収部で吸収しきれなかった少量の排泄物や、中央吸収部から流れ出た少量の排泄物を、例えば、表面シート部から吸収体後方部側に速やかに引き込むことができる。したがって、吸収性物品は、吸収性物品の後方側からの排泄物の漏れを抑制することができる。【００２２】
（６）  前記第２の中間シートは、前記第１の中間シートよりも親水性が高い（４）に記載の吸収性物品。【００２３】
（６）の発明によれば、吸収性物品は、第２の中間シートが、第１の中間シートよりも親水性が高くないよう構成される。これにより、該吸収性物品は、中央吸収部で吸収しきれなかった少量の排泄物や、中央吸収部から流れ出た少量の排泄物を、例えば、表面シート部から吸収体後方部側に速やかに引き込むことができる。したがって、吸収性物品は、吸収性物品の後方側からの排泄物の漏れを抑制することができる。【００２４】
（７）  前記第２の中間シートは、前記第１の中間シートに前記長手方向に連続して並列配置される（１）から（６）のいずれかに記載の吸収性物品。【００２５】
（７）の発明によれば、吸収性物品は、第２の中間シートが、第１の中間シートに長手方向ＬＤに連続して並列配置される。これにより、第２の中間シートは、中央吸収部側から流れてくる少量の排泄物を、その流れの途上において吸収することができるので、例えば、後方側からの排泄物の漏れを抑制することができる。【００２６】
（８）  前記第２の中間シートの一部は、前記第１の中間シートの少なくともその一部に幅方向において重なるように積層配置される（１）から（６）のいずれかに記載の吸収性物品。【００２７】
（８）の発明によれば、吸収性物品は、第２の中間シートの一部が、第１の中間シートの少なくともその一部に幅方向ＷＤにおいて重なるように積層配置される。その結果、上記と同様に、第２の中間シートは、中央吸収部側から流れてくる少量の排泄物を、その流れ上において吸収することができるので、例えば、吸収性物品の後方側からの排泄物の漏れを抑制することができる。また、吸収性物品における製造工程においても、積層配置されることは、製造者にとって第１の中間シートと第２の中間シートとの厳密な位置決めが必要ないので好ましい。【００２８】
（９）  該吸収性物品は、前記長手方向ＬＤに対して略垂直に折り曲げられる所定の折曲げ部を更に備え、前記第１の中間シートは、前記長手方向ＬＤにおいて前記折り曲げ部の一方側にのみ配置され、前記第２の中間シートの一部は、前記長手方向ＬＤにおいて前記折り曲げ部の他方側に配置される（１）から（８）のいずれかに記載の吸収性物品。【００２９】
（９）の発明によれば、吸収性物品は、長手方向ＬＤに対して略垂直に折り曲げられる所定の折曲げ部を更に備える。そして第１の中間シートは、長手方向ＬＤにおける折り曲げ部の一方側にのみ配置され、第２の中間シートの一部は、長手方向ＬＤにおいて前記折り曲げ部の他方側に配置される。例えば、第１の中間シートは、寝姿勢となった場合に、床面と略垂直方向に立ち上がるような状態となる、折り曲げ部の前方側に配置される。つまり、第１の中間シートは排泄部と当接する中央吸収部側に配置され、排泄物を速やかに吸収体中央部へ透過させる。第２の中間シートの一部は、寝姿勢となった場合に床面と略平行の状態となる吸収性物品の後方側に配置される。つまり、第２の中間シートは、中央吸収部で吸収しきれなかったり、排泄部から身体を伝ったりすることで流れてくる少量の排泄物を速やかに吸収する。【００３０】
（１０）  前記第２の中間シートの厚さは、前記第１の中間シートの厚さよりも厚く、前記第２の中間シートの長手方向における長さは、前記第１の中間シートの長手方向における長さよりも長い請求項１から９のいずれかに記載の吸収性物品。【００３１】
（１０）の発明によれば、吸収性物品は、第２の中間シートの厚さが第１の中間シートの厚さよりも厚く、第２の中間シートの長手方向ＬＤにおける長さが第１の中間シートの長手方向ＬＤにおける長さよりも長くなるように構成することができる。このような構成は、例えば、第１の中間シートの液透過性を高く維持しながら、第２の中間シートの液引き込み性を高めることに寄与する。
【発明の効果】
【００３２】
本発明によれば、排泄物の漏れを抑制すると共に、装着感の悪化を抑制する吸収性物品を提供することができる。
【図面の簡単な説明】
【００３３】
【図１】本発明の第１実施形態における吸収性物品の平面図である。
【図２】本発明の第１実施形態における吸収性物品の中心線における断面図である。
【図３】本発明の第１実施形態における吸収性物品の使用状態における斜視図である。
【図４】図３における吸収性物品の中心線における断面図である。
【図５】本発明の第２実施形態における吸収性物品の平面図である。
【図６】本発明の第２実施形態における吸収性物品の中心線における断面図である。
【図７】従来技術における吸収性物品の平面図である。
【符号の説明】
【００３４】
１    吸収性物品
２    表面シート部
３    裏面シート部
４    吸収体部
５    第１の中間シート
６    第２の中間シート
４０  吸収部
４１  中央吸収部
４３  後方吸収部
【発明を実施するための形態】
【００３５】
図１は、本発明の第１実施形態における吸収性物品の平面図である。図２は、本発明の第１実施形態における吸収性物品の中心線における断面図である。図３は、本発明の第１実施形態における吸収性物品の使用状態における斜視図である。図４は、図３における吸収性物品の中心線における断面図である。図５は、本発明の第２実施形態における吸収性物品の平面図である。図６は、本発明の第２実施形態における吸収性物品の中心線における断面図である。図７は、従来技術における吸収性物品の平面図である。
【００３６】
［１］吸収性物品の全体構造
本発明の第１実施形態における吸収性物品１により、本発明の吸収性物品における全体構造について説明する。
【００３７】
［１．１］全般
図１及び図２に示すように、本発明の吸収性物品１は略縦長状であって、液透過性の表面シート部２と、液不透過性の裏面シート部３と、表面シート部２と裏面シート部３との間に配置される吸収体部４と、表面シート部２と吸収体部４との間に配置される中間シート部５、６を備える。
【００３８】
吸収性物品１は、長手方向ＬＤにおける後方側に長い吸収性物品であり、具体的には尾てい骨まで覆うような後方側に長い吸収性物品である。この吸収性物品１の長手方向ＬＤにおける長さは、例えば、２９０ｍｍから４２０ｍｍ、好ましくは３３０ｍｍから４００ｍｍを例示できる。この例示した長さの吸収性物品１は、例えば、就寝時における寝姿勢時（例えば、夜用として）の場合に好適に使用することができる。
【００３９】
表面シート部２は、使用時には身体側に配置されると共に排泄部に当接される。排泄部から排泄される経血等の排泄物は、表面シート部２を透過して、吸収体部４に吸収される。下着側に配置される裏面シート部３は液不透過性であるので、排泄物は下着側には透過せず、吸収体部４に吸収された状態で保持される。
【００４０】
本実施形態において表面シート部２には、例えば、熱融着繊維をエアスルー等の手段で結合した２層構造の融着シートを用いることができる。２層構造の融着シートは、構成繊維の繊維系が４デニール以下の親水性繊維や撥水性繊維で構成されている。詳しくは、２層構造の融着シートは、表面繊維層がポリエチレン／ポリエステルの２成分複合繊維で、裏面繊維層がポリエチレン／ポリエステル、ポリエチレン／ポリプロピレンの２成分複合繊維で構成されている。また、２層構造の融着シートに限らず、表面シート部２を構成するシート部材の目付は、１０から４０ｇ／ｍ２である。この目付が４０ｇ／ｍ２を超えてしまうと、液体を表面シート部２の表面上で保持してしまいベタベタした状態で維持され続け、着用者が不快に感じるようになってしまう。また、該シート部材の密度は０．１２ｇ／ｃｍ３以下で液透過性であれば特には限定されない。該シート部材の密度がこれ以上の場合、排泄物が表面シート部２の繊維間をスムーズに透過することが難しい。例えば、経血は尿などにくらべ粘性が高いので、該シート部材の密度は低いことが好ましい。
【００４１】
中間シート部５、６は、表面シート部２を透過した排泄物を吸収体部４に透過させると共に、使用時におけるクッションとしても機能する。この中間シート部５、６は、第１の中間シート５と第２の中間シート６とを備える。詳細については後述の通りである。
【００４２】
表面シート部２と第１の中間シート５とは、ホットメルト接着剤及び開孔部により貼り合わされるようにして接合される。また、表面シート部２と第２の中間シート６とは、ホットメルト接着剤により貼り合わされるようにして接合される。また、表面シート部２、第１の中間シート５、第２の中間シート６と吸収体部４とは、ホットメルト接着剤により張り合わされるようにして接合される。また、表面シート部２と裏面シート部３とは、ホットメルト接着剤及びヒートシールにより貼り合わされるようにして接合される。
【００４３】
［１．２］中央吸収部及び中間シート部
図１に示すように、吸収性物品１は、幅方向ＷＤにおいて略中央に形成される略楕円状の吸収部４０を備える。吸収部４０は、後述する第１の防液溝１０により囲まれる領域である。そして、吸収部４０は、排泄部からの排泄物を主に吸収する領域である。
【００４４】
図１及び図２に示すように、吸収部４０は、吸収性物品１における前方側に形成される中央吸収部４１と、後方側に形成される後方吸収部４３とを少なくとも備える。
【００４５】
中央吸収部４１は、排泄部に当接する位置に形成され排泄部からの排泄物を主として吸収する。中央吸収部４１は、表面側（身体側）から表面シート部２と、第１の中間シート５と、吸収体中央部４２とが積層的に配置され、さらにそれぞれがホットメルト接着剤等で貼り合わされるようにして接合される。
【００４６】
後方吸収部４３は、例えば、中央吸収部４１で吸収しきれなかった排泄物や、身体を伝って流れてきた排泄物を吸収する。後方吸収部４３は、表面側（身体側）から表面シート部２と、第２の中間シート６と、吸収体後方部４４とが積層的に配置され、さらにそれぞれがホットメルト接着剤等で貼り合わされるようにして接合される。
【００４７】
図２に示すように、中間シート部５、６は、上述のように、第１の中間シート５と、第２の中間シート６とを備える。第１の中間シート５は、表面シート部２と吸収体中央部４２との間に積層的に配置され、第２の中間シート６は、表面シート部２と吸収体後方部４４との間に積層的に配置される。
【００４８】
中央吸収部４１に配置される第１の中間シート５と、後方吸収部４３に配置される第２の中間シート６とは液移行特性が異なる。例えば、本実施形態においては、第１の中間シート５は、第２の中間シート６よりも液透過性に優れる。第１の中間シート５として液透過性に優れたものを用いるのは、排泄部からの排泄物を速やかに吸収体部４に移行させ、装着感の悪化抑制と排泄物の漏れを抑制するためである。液透過性は、例えば、ストライクスルー法における所定の液体（例えば、人工尿）の透過時間により示すことができる。ストライクスルー法における透過時間は、例えば、測定機ＬＩＳＴＥＲ（ＬＥＮＺＩＮＧ  ＴＥＣＨＮＫ社製）により測定することができる。本実施形態の第１の中間シート５及び第２の中間シート６のストライクスルー法における液透過時間は、第２の中間シート６においては３．２５秒であるのに対し、第１の中間シート５においては３．０７秒である。
【００４９】
また、第１の中間シート５における液透過性を更に向上させるため、所定の開孔処理により複数の液透過性開孔５１を形成することができる。ここで、第１の中間シート５と表面シート部２とを貼り合わせた状態で開孔処理をすることで、排泄部からの排泄物を、より好適に吸収体部４に透過させることができる。第２の中間シート６については、該第２の中間シート６が配置される位置や製品の仕様により、必要に応じて開孔処理をすることができる。液透過性開孔５１は、例えば、開孔径を０．０５ｍｍから３ｍｍ、液透過性開孔５１どうしのピッチを０．２ｍｍから１０ｍｍ、開孔面積率を３％から３０％となるように形成することができる。
【００５０】
第２の中間シート６は、本実施形態において、第１の中間シート５よりも液引き込み性に優れる。これは、例えば、中央吸収部４１で吸収しきれなかった排泄物や、排泄部から身体を伝って流れてきた排泄物を、後方吸収部４３における第２の中間シート６で速やかに吸収して、排泄物の漏れを抑制するためである。液引き込み性に優れるとは、例えば、毛管力が強い場合や、親水性に優れた能力を有する場合を例示できる。
【００５１】
毛管力の強さ及び親水性は、例えば、ＪＩＳ−Ｐ８１４１に記載されるクレム吸収試験における液体の吸い上げ（ｇ／２５ｍｍ）で示すことができる。本実施形態の第１の中間シート５及び第２の中間シート６におけるクレム吸収試験による液体の吸い上げは、第１の中間シート５は、２５ｇ／２５ｍｍであるのに対して、第２の中間シート６は、５５ｇ／２５ｍｍである。
【００５２】
また、本実施形態のように、第１の中間シート５として液透過性に優れるシートを配置し、第２の中間シート６として液引き込み性に優れるシートを配置する場合において、第２の中間シート６の厚さを第１の中間シート５の厚さよりも厚く、第２の中間シート６の長手方向ＬＤにおける長さを第１の中間シート５の長手方向ＬＤにおける長さよりも長くすることが好ましい。第２の中間シート６は、所定量の排泄物を速やかに表面シート側から吸収体部４側に引き込むために所定の厚さが必要である。なぜなら、第２の中間シート６は、中央吸収部４１側から流れてくる経血等の排泄物が吸収性物品１における後方側から漏れることを抑制するために配置されるからであり、更に、第２の中間シート６は、排泄物が流れる経路上においてできるだけ長く配置されることが好ましいからである。第１の中間シート５及び第２の中間シート６の厚さとして、例えば、第１の中間シート５の厚さが０．３ｍｍから０．８ｍｍ、好ましくは０．４ｍｍから０．６ｍｍ、第２の中間シート６の厚さが１．０ｍｍから２．０ｍｍ、好ましくは１．１ｍｍから１．３ｍｍの場合を例示できる。
【００５３】
また、第１の中間シート５と第２の中間シート６とにおいて、それぞれ異なる素材を用いることで、第１の中間シート５と第２の中間シート６とが、異なる液移特性を備えることができる。また、同じ素材を用いた場合でも、厚さや密度を変えることや、所定の処理を行うことで、それぞれ異なる液移行特性を備えることができる。
【００５４】
本実施形態における第１の中間シート５として、例えば、目付が１０から４０ｇ／ｍ２で、構成繊維の繊維系が４デニール以下の親水性繊維が交差点で融着してウエブ形態を維持したものを例示できる。詳しくは、ポリエチレン／ポリプロピレンの２成分複合繊維で構成されている。平均密度は０．０３から０．０６ｇ／ｃｍ３で、表面シート部２における平均密度よりも低くすることが好ましい。ここで、平均密度が０．０６ｇ／ｃｍ３を超えると、表面シート部２からの経血等の液体を素早く吸収体部４に移行させることができず、漏れが生じやすくなる。また、平均密度が０．０３ｇ／ｃｍ３未満だと、表面シート部２の表面上から経血等の液体を吸引する力が低くなるため、経血等の液体が表面シート部２で保持されてしまう。したがって、ベタベタした不快な状態になると共に、経血等の液体が表面シート部２を伝って後方側８６０に流れる場合があるため好ましくない。更に、本実施形態における表面シート部２と第１の中間シート５とは同一成分の繊維により構成されるため、表面シート部２上の経血等の液体を、特に速やかに吸収体部４に移行させることができる。本発明の実施例における表面シート部２と第１の中間シート５とは、液透過性に優れる組み合わせである。
【００５５】
本実施形態における第２の中間シート６は、例えば、目付が６０から２００ｇ／ｍ２のエアレイド不織布を例示できる。詳細には、エアレイド不織布は、パルプと合成繊維とを熱融着させ又はバインダーで固着させた不織布である。平均密度は０．０６から０．１ｇ／ｃｍ３を例示できる。ここで、エアレイド不織布の平均密度が０．０６ｇ／ｃｍ３以下の場合には、十分な引き込み性や拡散性を発揮することができない。また、エアレイド不織布の平均密度が０．１ｇ／ｃｍ３を超えると、経血等の液体を吸収体部４に速やかに移行させることができない。このためず、経血等の液体が第２の中間シート６で保持されてしまう。するとベタベタした不快な状態となる場合が生じるためエアレイド不織布の平均密度が高すぎるのも好ましくない。
【００５６】
本実施形態における吸収性物品１は、中央吸収部４１における表面シート部２と吸収体中央部４２との間に、多量の経血等の排泄物を吸収体部４に移行させる液透過性に優れた第１の中間シート５を備える。また、後方吸収部４３における表面シート部２と吸収体後方部４４との間に、少量の経血等の排泄物を表面シート部２側から速やかに吸収して引き込む第２の中間シート６とを備える。本実施形態における吸収性物品１は、該吸収性物品１における位置、言い換えると、当接する身体の部位によって液移行特性が異なる中間シート５、６を配置している。
【００５７】
また、本実施形態においては、中央吸収部４１において、第１の中間シート５及び第２の中間シート６の一部が積層的に配置されている。したがって、吸収性物品は中央吸収部４１における吸収性が向上すると共に、厚みが増して強度と保型性が向上するので経血等の液体吸収時における吸収部４０のヨレを防止することができる。これにより、吸収性物品は、吸収部４０と身体との間に隙間が生じることを抑制することができ、経血等の排泄物の漏れを抑制することができる。
【００５８】
［１．３］使用態様
図３及び図４により、第１実施形態における本発明の吸収性物品により、本発明の吸収性物品における使用態様の一例について説明する。
【００５９】
図３により、本実施形態における吸収性物品１の使用態様例として、就寝時に寝姿勢となる場合の使用態様を説明する。図３に示すように、寝姿勢となる場合の使用状態においては、吸収性物品１は、吸収性物品１における後方側８６０が床面と略平行に配置され、前方側８４０が該吸収性物品１における後方側８６０に対して所定角度をなすように、言い換えると、床面に対して所定の角度をなすようにして配置される。通常の吸収性物品と同様に、着用者は、ウィング状フラップＷ１、Ｗ２を折り返すと共に、粘着部７及び粘着部８により下着等に固定する。
【００６０】
ここで、ウィング状フラップＷ１、Ｗ２は、表面シート部２の一部が側方に延在されると共に、裏面シート部３の一部が幅方向ＷＤ外側に延在され、これら延在された表面シート部２の延在部分と、裏面シート部３の延在部分とをホットメルト接着剤により接合して形成される。
【００６１】
中央吸収部４１は、下着等からの緊迫力や大腿部からの圧迫力等の外力により排泄部に当接される。しかし、就寝時等における寝姿勢では、膣口部等の排泄部は床面に対して略直角方向に向くので、経血等の排泄物は重力により床面側に流れやすくなる。つまり、排泄部からの排泄物は、床面と略垂直に配置される前方側８４０における中央吸収部４１において吸収されるが、長時間、図３に示すような状態にあるため、排泄物は、身体を伝って後方側８６０に流れる場合がある。例えば、中央吸収部４１における吸収量を超えてしまったり、寝返り等の動きにより身体と吸収性物品１との間に隙間が生じることで、経血等の排泄物が尻溝等を伝い、その結果、経血等の排泄物の後ろ漏れや後ろ斜め漏れが発生しやすくなる。
【００６２】
図４に示すように、吸収性物品１を下着等に装着した状態では、中央吸収部４１は、床側に配置される後方側８６０に対して所定の角度で傾いた状態にある。中央吸収部４１は床面に対して略垂直方向を向く排泄部に当接して排泄物を吸収する。
【００６３】
吸収性物品１が就寝時等に使用される場合には、中央吸収部４１における吸収体中央部４２の吸収性限界量を超えて排泄物が排泄された場合には、該中央吸収部４１がべたついた状態になり不快に感じるようになる。また、この吸収体中央部４２における吸収限界量を超えたために吸収されなかった排泄物は、吸収性物品１における後方側８６０に流れてくることがある。
【００６４】
ここで、これらにより生じる、装着感の悪化や後方側８６０における排泄物の漏れ（後ろ漏れ）を抑制するため、中央吸収部４１には、排泄物を表面シート部２側から吸収体部４に速やかに移行させるため液透過性に優れる第１の中間シート５が配置される。例えば、本実施形態における第１の中間シート５は、排泄物を、該第１の中間シート５に滞留させることなく吸収体部４へ移行させる。また、第１の中間シート５は、表面シート部２における排泄部と直接当接位置の直下に配置され、また、排泄部から多量の排泄物が排泄されることから、この排泄物自体の重みによって吸収体部４へ速やかに移行させることができる。
【００６５】
更に、後方側８６０に流れ出た排泄物を、該後方側８６０における後方から漏れる前に吸収するために、液引き込み性に優れた第２の中間シート６が配置される。例えば、本実施形態における、毛管力が強く、親水性が高い第２の中間シート６を配置することができる。これによりで、第２の中間シート６は、経血等の排泄物を表面シート部２側から引き込んで、表面シート部２上を排泄物が流れることを抑制する。中央吸収部４１側から流れる経血等の排泄物は、主として液体であるが、少量であるため重みがないので吸収体部４へ移行しにくい。また、中央吸収部４１は後方吸収部４３に対して所定の角度で立ち上がった状態であるため、排泄物が所定の速度で流れてくることから、後ろ漏れを抑制するためには液引き込み性が高い第２の中間シート６を配置することが好ましい。
【００６６】
吸収性物品１は、吸収性物品１における長手方向ＬＤに略直交するように形成され該吸収性物品１を折り曲げ可能に形成される折曲げ部８５０を備える。本実施形態において、第１の中間シート５は、折り曲げ部に対して前方側のみに配置される。第１の中間シート５は、折り曲げ部８５０に対して後方側には配置されない。
【００６７】
第２の中間シート６は、折り曲げ部８５０に対して前方側から後方側まで折り曲げ部８５０をまたいで配置される。第２の中間シート６は、折り曲げ部８５０の前方においては、表面シート部２及び第１の中間シート５の下側（吸収体部４側）に積層的に配置され、後方側においては、表面シート部２の下側（吸収体部４側）に積層的に配置される。
【００６８】
ここで、吸収性物品１は、第１の中間シート５と第２の中間シート６とを配置することで、吸収性物品１における、例えば、中央吸収部４１に強度や保型性を付与することができる。これにより、中央吸収部４１における排泄物吸収時におけるヨレを抑制して、フィットしにくい会陰部から尾てい骨にかけて安定的にフィットさせることに寄与する。
【００６９】
［１．４］製造
吸収性物品１は、例えば、以下のような手順を含むようにして製造することができる。例えば、表面シート部２上に第１の中間シート５が配置され、ホットメルト接着剤等により貼り合わされて接合される。次いで、表面シート部２及び第１の中間シート５は、積層配置された領域における全部又は一部に関し開孔処理が行われる。
【００７０】
この開孔処理後、更に、第２の中間シート６に関し、その一部が第１の中間シート５に積層され、他の部分が表面シート部２のみに積層されるようにして配置され、さらにホットメルト接着剤等で貼り合わされる。そして、裏面シート部３は、第１の中間シート５及び第２の中間シート６を覆うように配置され、ホットメルト接着剤及びヒートシールにより、貼り合わせられて接合形態が達成される。
【００７１】
［２］第２実施形態
図５及び図６に示すように、第２実施形態における吸収性物品１Ａは、第１実施形態の吸収性物品１における第１の中間シート５と第２の中間シート６とを厚さ方向において重なることなく並列配置したものである。
【００７２】
ここで、第１実施形態における吸収性物品１と同様に、第１の中間シート５は、表面シート部２と吸収体中央部４２との間に積層的に配置される。また、第１の中間シート５は、吸収性物品１における前方側８４０に配置される。また、第１の中間シート５は、折り畳み部５４０に対して前方側のみに配置される（図３を参照）。
【００７３】
第２の中間シート６は、表面シート部２と吸収体後方部４４との間に積層的に配置される。また、第２の中間シート６は、吸収性物品１における後方側８６０に配置される。また、第２の中間シート６は、折り畳み部５４０に対して主に後方側に配置される。そして、第２の中間シート６は、第１の中間シート５に平面的に連続するように配置される。
【００７４】
このように配置することで、例えば、第１実施形態における吸収性物品１に比べて、吸収部４０における厚さを薄くすることができる。製品の仕様に応じて、第１の中間シート５及び第２の中間シート６の配置を適宜調整することができる。ここで、第１の中間シート５及び第２の中間シート６の配置や形状等は、第１実施形態や第２実施形態で示した態様に限定されない。
【００７５】
［３］各構成物
以下に、各構成物について詳述する。
表面シート部２は、多数の液透過孔が形成された樹脂フィルム、多数の網目を有するネット状シート、液透過性の不織布、または織布などで形成される。前記樹脂フィルムやネット状シートは、ポリプロピレン（ＰＰ）、ポリエチレン（ＰＥ）、ポリエチレンテレフタレート（ＰＥＴ）などで形成されたものを使用できる。また表面シート部２に使用される不織布は、レーヨンなどのセルロース繊維、合成樹脂繊維などから形成されたスパンレース不織布、前記合成樹脂繊維で形成されたエアスルー不織布などを用いることができる。また、表面シート部２に使用される不織布の素材は、ポリ乳酸、キトサン、ポリアルギン酸などの生分解性が可能な天然物を用いることもできる。また、他の例として、表面シート部２は、その表面に多数の液透過孔を形成すると共に、シリコーン系やフッ素系の撥水性油剤を塗布して、その外面に体液が付着しにくいシートを用いてもよい。
【００７６】
また、上記不織布に限らず、表面シート部２を構成するシート部材の目付は１５から１００ｇ／ｍ２が好ましく、２０から５０ｇ／ｍ２がより好ましく、１０から４０ｇ／ｍ２が特に好ましい。目付が１５ｇ／ｍ２以下だと表面強度が十分に得られず、使用中に破ける恐れがある。また該シート部材の目付が１００ｇ／ｍ２以上の場合、過度のごわつきが発現し、使用中に違和感を生じる。更には、吸収性物品１を長時間使用する場合には、該シート部材の目付が４０ｇ／ｍ２を超えてしまうと、表面シート部２が液体をシートの表面上で保持してしまいベタベタした状態で維持され続けることになるので、不快に感じるようになってしまう。また、表面シート部２を構成するシート部材の密度は０．１２ｇ／ｃｍ３以下であって、かつ液透過性であれば特には限定されない。表面シート部２を構成するシート部材の密度が０．１２ｇ／ｃｍ３より高い場合、表面シート部２を構成するシート部材の繊維間を液体がスムーズに透過することが難しい。経血の場合、尿などにくらべ粘性が高いので、表面シート部２を構成するシート部材の密度は０．１２ｇ／ｃｍ３より十分に低いものが好ましい。
【００７７】
また、表面シート部２が、上述した多数の液透過性開孔５１が形成されたフィルム等である開孔フィルムである場合、開孔径は０．０５ｍｍ以上３ｍｍ以下の範囲内であり、開孔５１のピッチは、０．２ｍｍ以上１０ｍｍ以下の範囲内であり、開孔５１の開孔面積率は、３％以上３０％以下の範囲内であることが好ましい。製法としては、予め開孔条件を変化させたパターンドラムにフィルムを通紙し、サクション吸引することで開孔するいわゆるＰＦＷ法や、均一な開孔条件を有するＰＦＷ法で得られた表面シート部２の折り目線を跨ぐ領域に、ピンエンボス加工によって開孔をさらに付加する方法などが挙げられる。開孔の配列は千鳥状、格子状、波状など特に限定されない。また、開孔の形状としては、丸型、楕円型、四角型などが挙げられる。また、開孔部の周縁に弁が備えられていても良い。表面シート部２として、好ましくは有孔または無孔の不織布や多孔性プラスティックシート部を用いることができる。
【００７８】
また、上述したが、表面シート部２の好適な例として、熱融着繊維をエアスルー等の手段で結合した２層構造の融着シートを用いることができる。２層構造の融着シートは、構成繊維の繊維系が４デニール以下の親水性繊維、撥水性繊維で構成されている。詳しくは、２層構造の融着シートは、表面繊維層がポリエチレン／ポリエステルの２成分複合繊維で、裏面繊維層がポリエチレン／ポリエステル、ポリエチレン／ポリプロピレンの２成分複合繊維で構成されている。また、上記２層構造の融着シートに限らず、表面シート部２を構成するシート部材の目付は、１０から４０ｇ／ｍ２である。この目付が４０ｇ／ｍ２を超えてしまうと、吸収性物品１は、液体を表面シート部２で保持してしまう。その結果、吸収性物品１は、着用者にとってベタベタした状態で維持され続け、不快に感じるようになってしまう。
【００７９】
裏面シート部３は、吸収体部４に吸収された排泄物が外へ漏れ出すのを防止できる材料が使用される。また、裏面シート部３を透湿性素材とすることにより、装着時のムレを低減させることができ、装着時における不快感を低減させることが可能となる。裏面シート部３の材料としては、例えば、ポリエチレン（ＰＥ）、ポリプロピレン（ＰＰ）等を主体とした液不透過性フィルム、通気性フィルム、スパンボンドなどの不織布の片面に液不透過性フィルムをラミネートした複合シートなどが挙げられる。好ましくは、疎水性の不織布、不透水性のプラスティックフィルム、不織布と不透水性プラスティックフィルムとのラミネートシート等を用いることができる。また、耐水性の高いメルトブローン不織布や強度の強いスパンボンド不織布で挟んだＳＭＳ不織布でも良い。
【００８０】
第１の中間シート５及び第２の中間シート６は、表面シート部２と吸収体部４との間に配置される液透過性シートである。第１の中間シート５及び第２の中間シート６に使用される材料としては、表面シート部２と同様に多数の液透過孔が形成された樹脂フィルム、多数の網目を有するネット状シート部、液透過性の不織布、または織布などで形成される。前記樹脂フィルムやネット状シートは、ポリプロピレン（ＰＰ）、ポリエチレン（ＰＥ）、ポリエチレンテレフタレート（ＰＥＴ）などで形成されたものを使用できる。また不織布としては、レーヨンなどのセルロース繊維、合成樹脂繊維などから形成されたスパンレース不織布、前記合成樹脂繊維で形成されたエアスルー不織布などを用いることができる。また、この第１の中間シート５及び第２の中間シート６は、吸収体部４の支持体としての役割を果たし、吸収体部４に柔軟性と形態安定性の付与をすることができる。
【００８１】
また、上述したように、第１の中間シート５を構成するシート部材についての好適な例として、例えば、目付が１０から４０ｇ／ｍ２で、構成繊維の繊維系が４デニール以下の親水性繊維が交点で融着してウエブ形態を維持したものを例示できる。詳しくは、ポリエチレン／ポリプロピレンの２成分複合繊維で構成されている。第１の中間シート５を構成するシート部材の平均密度は０．０３から０．０６ｇ／ｃｍ３で、表面シート部２を構成するシート部材の平均密度よりも低くすることが好ましい。ここで、平均密度が０．０６ｇ／ｃｍ３を超えると、表面シート部２からの経血等の液体を素早く吸収体部４に移行させることができず、漏れが生じやすくなる。また、平均密度が０．０３ｇ／ｃｍ３未満だと、表面シート部２から経血等の液体を吸引する力が低くなるため、経血等の液体が表面シート部２で保持されてしまう。このため、吸収性物品１は、着用者にとってベタベタした不快な状態になると共に、経血等の液体が表面シート部２を伝って後方側８６０に流れる場合があるため好ましくない。
【００８２】
また、同様に、第２の中間シート６を構成するシート部材についての好適な例として、例えば、目付が６０から２００ｇ／ｍ２のエアレイド不織布を例示できる。詳細には、エアレイド不織布は、パルプと合成繊維とを熱融着させ又はバインダーで固着させた不織布である。エアレイド不織布の平均密度は０．０６から０．１ｇ／ｃｍ３を例示できる。ここで、平均密度が０．０６ｇ／ｃｍ３以下の場合には、十分な引き込み性や拡散性を発揮することができず、また、平均密度が０．１ｇ／ｃｍ３を超えると、経血等の液体を吸収体部４に速やかに移行させることができず、経血等の液体が第２の中間シート６で保持されてしまう。このため、着用者にとってベタベタした不快な状態となる場合があるため好ましくない。
【００８３】
中間シート部５、６は、所定のホットメルト接着剤により、表面シート部２と貼り合わされる。例えば、ホットメルト接着剤は、中間シート部５、６の幅方向ＷＤにおける中央部に、長手方向ＬＤに細く延びる複数の線を形成するように塗工される。このようにして、中間シート部５、６は接合される。
【００８４】
中間シート５、６は、上述の通り、第１の中間シート５と第２の中間シート６とを備える。第１の中間シート５の幅寸法Ａ１（図１参照）は、例えば、第１実施形態における吸収性物品１おいては、３０ｍｍから８０ｍｍ、好ましくは５０ｍｍから７０ｍｍとするのが望ましい。幅寸法Ａ１が３０ｍｍ未満の場合には膣口部に当たり続ける為の幅が足りず、身体とナプキンとの隙間が発生し漏れ易くなってしまう。逆に、幅寸法Ａ１が８０ｍｍ以上になるとショーツ等の下着のクロッチ幅を超えてしまうため好ましくない。
【００８５】
第１の中間シート５の長さ寸法Ａ２（図１参照）は、例えば、５０ｍｍから１２０ｍｍ、好ましくは６０ｍｍから１００ｍｍが望ましい。例えば、第１の中間シート５の前端部は、ウィング状フラップＷ１、Ｗ２の中心部ＷＰから長手前方向位置を基準として、３０ｍｍ以上前方、好ましくは５０ｍｍ以上前方にあることが望ましい。また、後端部は、ウィング状フラップＷ、Ｗ１の中心部ＷＰにおける長手方向ＬＤの位置を基準として、２０ｍｍから７０ｍｍ後方側、好ましくは３０ｍｍから５０ｍｍ後方側にあることが望ましい。後端部が、ウィング状フラップＷ１、Ｗ２の中心部ＷＰから７０ｍｍ以上後ろにある場合には、経血等が表面シート部２上を流れて後ろ漏れを発生させ易くなる。
【００８６】
第２の中間シート６の幅寸法Ｂ１は、例えば、第１実施形態における吸収性物品１おいては、１０ｍｍから４０ｍｍ、好ましくは１５ｍｍから３０ｍｍとするのが望ましい。幅寸法Ｂ１が１０ｍｍ未満の場合には会陰部から尾てい骨にかけての尻溝への当接を維持するための幅が足りない場合がある。そして、身体と吸収性物品１との隙間が発生しやすくなり、排泄物の漏れが生じやすくなる。逆に、幅寸法Ｂ１が４０ｍｍ以上になると、吸収性物品が尻溝にフィットし難くなってしまう。
【００８７】
第２の中間シート６の長さ寸法Ｂ２は、例えば、第２実施形態における吸収性物品１Ａにおいては、５０ｍｍから１３０ｍｍ、好ましくは６０ｍｍから１１０ｍｍであることが望ましい。第２実施形態においては、第２の中間シート６の前端部は、第１の中間シート５の後端部の位置であることが好ましい。そして、後端部は、ウィング状フラップＷ１、Ｗ２の中心部ＷＰおける長手方向ＬＤの位置を基準に、１５０ｍｍ以内、好ましくは１２０ｍｍ以内であることが望ましい。後端部が、ウィング状フラップＷ１、Ｗ２の中心部ＷＰから１５０ｍｍ以上後方にある場合には、第２の中間シート６が尾てい骨よりも後方まで配置される。このため、後方に配置される第２の中間シートの物量感のため、着用者は装着時における着用感を損ないやすくなる。
【００８８】
液透過性は、例えば、ストライクスルー法により測定さる所定の液体の透過時間で示されるが、具体的には以下のようにして測定される。つまり、液透過性は電極が配備された通った直径約１０ｍｍの円筒状の容器の中に、人工尿（組成はイオン交換水１０リットルに対し（１）尿素（試薬１級）（２００ｇ）、（２）塩化ナトリウム（日本薬局方製造専用）（８０ｇ）、（３）硫酸マグネシウム（７水和物）（試薬１級）（８ｇ）、（４）塩化カルシウム（２水和物）（試薬１級）（３ｇ）、（５）青色１号（約１ｇ）を混ぜ合わせたもの）を１０ｍＬ入れ、その下に測定対象物を置く。そして、液体を測定対象物に向けて流し始めてから液体がその円筒状の容器の中から無くなるまでの時間を透過時間として測定する。具体的には、液体を介して電極間に電気が流れてその液体が無くなると電気が止まるので、通電時間を測定対象物の透過時間として測定する。ここで、ストライクスルー法における透過時間は、例えば、測定機ＬＩＳＴＥＲ（ＬＥＮＺＩＮＧ  ＴＥＣＨＮＫ社製）により測定することができる。
【００８９】
液引き込み性は、例えば、毛管力の強さや親水性の高さで確認示される。この毛管力の強さや親水性に高さは、具体的には以下のようにして測定される。つまり、ＪＩＳ−Ｐ８１４１に記載されているクレム吸水試験で、上記人工尿に測定対象物を５分間浸漬させた結果における人工尿の吸い上げ（ｇ／２５ｍｍ）を測定する。毛管力の強さや親水性の高さは、この測定された吸い上げ（ｇ／２５ｍｍ）で示される。
【００９０】
吸収体部４は、表面シート部２側に配置されるクッションと、吸収体材料とで構成される。吸収体材料は、経血等の液体を吸収して保持する機能を有するもので、嵩高であり、型崩れし難く、化学的刺激が少ないものであることが好ましい。例えば、フラッフ状パルプもしくはエアレイド不織布と高吸収ポリマーとからなる吸収体材料を例示できる。フラッフ状パルプとしては、例えば、化学パルプ、セルロース繊維、レーヨン、アセテート等の人工セルロース繊維を例示できる。エアレイド不織布としては、例えば、パルプと合成繊維とを熱融着させまたはバインダーで固着させた不織布を例示できる。高吸収ポリマーとしては、例えば、デンプン系、アクリル酸系、アミノ酸系の粒子状または繊維状のポリマーを例示できる。また、不織布としては、例えば、スパンレース、スパンボンド、サーマルボンド、メルトブローン、ニードルパンチ、エアスルー等の不織布が用いられる。不織布を構成する素材繊維としてはポリエチレンまたはポリプロピレン等のオレフィン系、ポリエステル系、ポリアミド系等の合成繊維の他、レーヨンやキュプラ等の再生繊維、綿等の天然繊維を例示できる。クッションとしては、例えば、液透過性の紙やセルロースシート部が使用される。クッションと吸収体材料とが組み合わされた吸収体部４の一例として、パルプは目付２００ｇ／ｍ２、ポリマーは目付４ｇ／ｍ２（ポリマーは全体に分散している）で、パルプとポリマーが全体に均一に分布した混合体を、目付け１５ｇ／ｍ２のティッシュで包んだものが挙げられる。
【００９１】
吸収体部４の形状および構造は必要に応じて変えることができるが、吸収体部４の全吸収量は、吸収性物品としての設計挿入量および所望の用途に対応させる必要がある。また、吸収体部４のサイズや吸収能力等は、幼児から大人までの着用者に対応して変動される。
【００９２】
第１の防液溝１０は、長手方向ＬＤにおける前方側に突出する略Ｕ字状に形成される前方側Ｕ字部と、前方側Ｕ字部の両端から連続するようにそれぞれ長手方向ＬＤに延びる内側方部と、内側方部における後方側端部を繋ぐと共に長手方向ＬＤにおける後方側に突出する略Ｕ字状に形成される後方側Ｕ字部と、を備える。
【００９３】
第１の防液溝１０は、全体として縦長の略楕円状であって、吸収部４０を囲むように形成される。
【００９４】
第２の防液溝１１は、第１の防液溝１０における内側方部の外側に略等間隔で長手方向ＬＤに延びるように形成される外側方部と、外側方部の後方側端部を繋ぐと共に長手方向ＬＤにおける後方側に突出する略Ｕ字状に形成される外側Ｕ字部と、を備える。
【００９５】
第１の防液溝１０及び第２の防液溝１１は、所定の圧着処理により連続して形成される圧着部９により形成される。圧着部９は、加熱ローラを用いた所定の圧着処置により形成される。例えば、第１の防漏溝１０及び第２の防漏溝１１を形成するには、吸収体部４の裏面シート部３側に表面がフラットなロールを当て、また表面シート部２の表面側に所定パターンの凸部を有する加熱ロールを当てて、加圧し且つ加熱する。その結果、圧着部９では、吸収体部４及び表面シート部２がほぼフィルム状に圧着された複数の高密度圧着部と、高密度圧着部に隣接する高密度圧着部との間に位置して、フィルム状にはなっていないが圧着部９以外の領域よりも高密度となった複数の中密度圧着部が形成される。圧着部９のパターンの全ての部分において、この高密度圧着部と中密度圧着部が交互に形成されて、吸収性物品１の表面（身体側）から裏面シート部３側へ窪む線状の第１の防液溝１０及び第２の防液溝１１が形成される。
【００９６】
第１の防液溝１０及び第２の防液溝１１における幅寸法は、例えば、第１実施形態の吸収性物品１において、０．５ｍｍから１０ｍｍ、好ましくは１ｍｍから５ｍｍとするのが望ましい。幅寸法が０．５ｍｍ以下の場合には、表面シート部２と吸収体部４を切ってしまうだけになる。幅寸法が１０ｍｍ以上の場合には、フィット性、使用感、吸収性等が低下してしまう。
【００９７】
また、第１の防液溝１０及び第２の防液溝１１の配置間距離Ｃ１は、１ｍｍから１０ｍｍ、好ましくは５ｍｍから８ｍｍとするのが望ましい。距離が１ｍｍ以下の場合には、フィット性、使用感等が低下してしまう。距離Ｃ１が１０ｍｍ以上の場合には、フィット性の低下、吸収部４０のヨレが発生し易くなる。
【００９８】
また、第１の防液溝１０における、中心線ＣＬを直交する両側部間の間隔距離は、２０ｍｍから６０ｍｍ好ましくは３０ｍｍから４０ｍｍが望ましい。間隔が２０ｍｍ以下の場合には、吸収部４０が排泄部（膣口部）に当接し続けることができず、身体と吸収性物品１との隙間が発生し漏れ易くなってしまう。間隔が６０ｍｍ以上の場合には、吸収部４０における中心部が凹状に変形して、身体と吸収性物品１との隙間が発生し漏れ易くなってしまう。
【００９９】
粘着部７及び粘着部８における粘着体は、アクリル系粘着剤、ゴム系粘着剤などの粘着剤の他、肌に密着して接着力を発揮するセルロース系、ポリビニルアルコール系、ゼラチン、ポリグルタミン酸、ポリリジンなどのポリアミノ酸ゲルを用いることもできる。
【図１】
0005114204.tif 000002
【図２】
0005114204.tif 000003
【図３】
0005114204.tif 000004
【図４】
0005114204.tif 000005
【図５】
0005114204.tif 000006
【図６】
0005114204.tif 000007
【図７】
0005114204.tif 000008